(57)【要約】  字幕表示位置を相対位置で指定する場合にあって表示方法に依らずに字幕表示を良好に行い得るようにする。  ビデオデータを持つビデオストリームと字幕情報を持つサブタイトルストリームを含む所定フォーマットのコンテナを送信する。字幕情報に含まれる字幕表示位置情報において字幕表示位置は相対位置で指定される。字幕情報に字幕表示位置情報で指定される字幕表示位置がどの領域に対する相対位置であるかを示す識別情報を挿入する。例えば、識別情報は、字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す。
2017073397.tif 000002
【特許請求の範囲】
【請求項１】
ビデオデータを持つビデオストリームと字幕情報を持つサブタイトルストリームを含む所定フォーマットのコンテナを送信する送信部を備え、
上記字幕情報に含まれる字幕表示位置情報において字幕表示位置は相対位置で指定され、
上記字幕情報に上記字幕表示位置情報で指定される字幕表示位置がどの領域に対する相対位置であるかを示す識別情報を挿入する情報挿入部をさらに備える
送信装置。
【請求項２】
上記字幕情報に挿入される識別情報は、上記字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す
請求項１に記載の送信装置。
【請求項３】
上記字幕情報は、所定フォーマットの字幕のテキスト情報である
請求項１に記載の送信装置。
【請求項４】
上記所定フォーマットの字幕のテキスト情報は、ＴＴＭＬあるいは該ＴＴＭＬの派生フォーマットである
請求項３に記載の送信装置。
【請求項５】
上記情報挿入部は、ttルートコンテナに、上記識別情報を挿入するためのネームスペースを定義する
請求項４に記載の送信装置。
【請求項６】
送信部により、ビデオデータを持つビデオストリームと字幕情報を持つサブタイトルストリームを含む所定フォーマットのコンテナを送信する送信ステップを有し、
上記字幕情報に含まれる字幕表示位置情報において字幕表示位置は相対位置で指定され、
上記字幕情報に上記字幕表示位置情報で指定される字幕表示位置がどの領域に対する相対位置であるかを示す識別情報を挿入する情報挿入ステップをさらに有する
送信方法。
【請求項７】
ビデオデータを持つビデオストリームと字幕情報を持つサブタイトルストリームを含む所定フォーマットのコンテナを受信する受信部を備え、
上記字幕情報に含まれる字幕表示位置情報において字幕表示位置は相対位置で指定され、
上記字幕情報には上記字幕表示位置情報で指定される字幕表示位置がどの領域に対する相対位置であるかを示す識別情報が挿入されており、
上記ビデオストリームにデコード処理を施してビデオデータを得るビデオデコード処理の制御と、上記サブタイトルストリームにデコード処理を施して字幕のビットマップデータを得るサブタイトルデコード処理の制御と、上記字幕のビットマップデータに対して、上記字幕表示位置情報で指定される字幕表示位置が上記字幕情報に挿入されている識別情報で示される領域に対する相対位置であるとして行う表示位置の制御と、上記表示位置制御が行われた字幕のビットマップデータを上記ビデオデータに重畳するビデオ重畳処理の制御をする制御部をさらに備える
受信装置。
【請求項８】
上記字幕情報に挿入されている識別情報は、上記字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す
請求項７に記載の受信装置。
【請求項９】
受信部により、ビデオデータを持つビデオストリームと字幕情報を持つサブタイトルストリームを含む所定フォーマットのコンテナを受信する受信ステップを有し、
上記字幕情報に含まれる字幕表示位置情報において字幕表示位置は相対位置で指定され、
上記字幕情報には上記字幕表示位置情報で指定される字幕表示位置がどの領域に対する相対位置であるかを示す識別情報が挿入されており、
上記ビデオストリームにデコード処理を施してビデオデータを得るビデオデコードステップと、
上記サブタイトルストリームにデコード処理を施して字幕のビットマップデータを得るサブタイトルデコードステップと、
上記字幕のビットマップデータに対して、上記字幕表示位置情報で指定される字幕表示位置が上記字幕情報に挿入されている識別情報で示される領域に対する相対位置であるとして表示位置制御を行う制御ステップと、
上記表示位置制御が行われた字幕のビットマップデータを上記ビデオデータに重畳するビデオ重畳ステップをさらに有する
受信方法。
【請求項１０】
ビデオデータを持つビデオストリームと字幕情報を持つサブタイトルストリームを含む所定フォーマットのコンテナを受信する受信部を備え、
上記字幕情報に含まれる字幕表示位置情報において字幕表示位置は相対位置で指定され、
上記ビデオストリームにデコード処理を施してビデオデータを得るビデオデコード処理の制御と、上記サブタイトルストリームにデコード処理を施して字幕のビットマップデータを得るサブタイトルデコード処理の制御と、上記字幕のビットマップデータに対して、上記字幕表示位置情報で指定される字幕表示位置がディスプレイに表示されるビデオ領域に対する相対位置であるとして行う表示位置の制御と、上記表示位置制御が行われた字幕のビットマップデータを上記ビデオデータに重畳するビデオ重畳処理の制御をする制御部をさらに備える
受信装置。
【請求項１１】
受信部により、ビデオデータを持つビデオストリームと字幕情報を持つサブタイトルストリームを含む所定フォーマットのコンテナを受信する受信ステップを有し、
上記字幕情報に含まれる字幕表示位置情報において字幕表示位置は相対位置で指定され、
上記ビデオストリームにデコード処理を施してビデオデータを得るビデオデコードステップと、
上記サブタイトルストリームにデコード処理を施して字幕のビットマップデータを得るサブタイトルデコードステップと、
上記字幕のビットマップデータに対して、上記字幕表示位置情報で指定される字幕表示位置がディスプレイに表示されるビデオ領域に対する相対位置であるとして表示位置制御を行う制御ステップと、
上記表示位置制御が行われた字幕のビットマップデータを上記ビデオデータに重畳するビデオ重畳ステップをさらに有する
受信方法。
【発明の詳細な説明】
【技術分野】
【０００１】
本技術は、送信装置、送信方法、受信装置および受信方法に関し、特に、ビデオデータと共に字幕情報を送信する送信装置等に関する。
【背景技術】
【０００２】
従来、例えば、ＤＶＢ（Digital Video Broadcasting）の放送などでは、字幕情報をビットマップデータで送信する運用が行われている。近時、字幕情報をテキストの文字コードで、つまりテキストベースで送信することが提案されている。このテキスト情報として、例えば、Ｗ３Ｃ（World Wide Web Consortium）でＴＴＭＬ（Timed Text Markup Language）が提唱されている（特許文献１参照）。【０００３】
従来、字幕情報に含まれる字幕表示位置情報において字幕表示位置を、例えばビデオ領域に対する相対位置で指定することが知られている。この場合、ビデオ領域のアスペクト比とディスプレイ領域のアスペクト比とが一致しない場合には、表示方法によって字幕の一部がディスプレイ領域からはみ出して表示されないことがあった。
【先行技術文献】
【特許文献】
【０００４】
【特許文献１】特開２０１２−１６９８８５号公報
【発明の概要】
【発明が解決しようとする課題】
【０００５】
本技術の目的は、字幕表示位置を相対位置で指定する場合にあって表示方法に依らずに字幕表示を良好に行い得るようにすることにある。
【課題を解決するための手段】
【０００６】
本技術の概念は、
ビデオデータを持つビデオストリームと字幕情報を持つサブタイトルストリームを含む所定フォーマットのコンテナを送信する送信部を備え、
上記字幕情報に含まれる字幕表示位置情報において字幕表示位置は相対位置で指定され、
上記字幕情報に上記字幕表示位置情報で指定される字幕表示位置がどの領域に対する相対位置であるかを示す識別情報を挿入する情報挿入部をさらに備える
送信装置にある。【０００７】
本技術において、送信部により、ビデオデータを持つビデオストリームと字幕情報を持つサブタイトルストリームを含む所定フォーマットのコンテナが送信される。例えば、コンテナとしては、デジタル放送規格で採用されているＭＰＥＧ−２  ＴＳトランスポートストリームあるいはＭＭＴトランスポートストリーム、インターネット配信で使用されているＩＳＯＢＭＦＦ（ＭＰ４）などの種々のフォーマットのコンテナが該当する。【０００８】
字幕情報に含まれる字幕表示位置情報において字幕表示位置は相対位置で指定される。情報挿入部により、字幕情報に字幕表示位置情報で指定される字幕表示位置がどの領域に対する相対位置であるかを示す識別情報が挿入される。例えば、字幕情報に挿入される識別情報は、字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す、ようにされてもよい。【０００９】
例えば、字幕情報は、所定フォーマットの字幕のテキスト情報である、ようにされてもよい。この場合、所定フォーマットの字幕のテキスト情報は、ＴＴＭＬあるいはこのＴＴＭＬの派生フォーマットである、ようにされてよい。そして、情報挿入部は、ttルートコンテナに、識別情報を挿入するためのネームスペースを定義する、ようにされてもよい。【００１０】
このように本技術においては、字幕情報に字幕表示位置情報で指定される字幕表示位置がどの領域に対する相対位置であるかを示す識別情報が挿入される。そのため、表示方法によらずに字幕表示を良好に行い得る。すなわち、ビデオ領域のアスペクト比とディスプレイ領域のアスペクト比とが一致しない場合にあってレターボックス（Letter box）やセンターカット（Center-cut）などの表示方法がとられる場合にあっても、字幕が黒帯領域に表示される、あるいは字幕がディスプレイ領域からはみ出てそのはみ出し部分が表示されなくなる、ということを回避し得る。【００１１】
また、本技術の他の概念は、
ビデオデータを持つビデオストリームと字幕情報を持つサブタイトルストリームを含む所定フォーマットのコンテナを受信する受信部を備え、
上記字幕情報に含まれる字幕表示位置情報において字幕表示位置は相対位置で指定され、
上記字幕情報には上記字幕表示位置情報で指定される字幕表示位置がどの領域に対する相対位置であるかを示す識別情報が挿入されており、
上記ビデオストリームにデコード処理を施してビデオデータを得るビデオデコード処理の制御と、上記サブタイトルストリームにデコード処理を施して字幕のビットマップデータを得るサブタイトルデコード処理の制御と、上記字幕のビットマップデータに対して、上記字幕表示位置情報で指定される字幕表示位置が上記字幕情報に挿入されている識別情報で示される領域に対する相対位置であるとして行う表示位置の制御と、上記表示位置制御が行われた字幕のビットマップデータを上記ビデオデータに重畳するビデオ重畳処理の制御をする制御部をさらに備える
受信装置にある。【００１２】
本技術において、受信部により、ビデオデータを持つビデオストリームと字幕情報を持つサブタイトルストリームを含む所定フォーマットのコンテナが受信される。ここで、字幕情報に含まれる字幕表示位置情報において字幕表示位置は相対位置で指定され、字幕情報には字幕表示位置情報で指定される字幕表示位置がどの領域に対する相対位置であるかを示す識別情報が挿入されている。例えば、字幕情報に挿入されている識別情報は、字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す、ようにされてもよい。【００１３】
ビデオストリームにデコード処理が施されてビデオデータが得られる。サブタイトルストリームにデコード処理が施されて字幕のビットマップデータが得られる。字幕のビットマップデータに対して、字幕表示位置情報で指定される字幕表示位置が字幕情報に挿入されている識別情報で示される領域に対する相対位置であるとして表示位置制御が行われる。表示位置制御が行われた字幕のビットマップデータがビデオデータに重畳される。【００１４】
このように本技術においては、字幕のビットマップデータに対して、字幕表示位置情報で指定される字幕表示位置が字幕情報に挿入されている識別情報で示される領域に対する相対位置であるとして表示位置制御が行われる。そのため、表示方法に依らずに字幕表示を良好に行い得る。すなわち、ビデオ領域のアスペクト比とディスプレイ領域のアスペクト比とが一致しない場合にあってレターボックス（Letter box）やセンターカット（Center-cut）などの表示方法がとられる場合にあっても、字幕が黒帯領域に表示される、あるいは字幕がディスプレイ領域からはみ出てそのはみ出し部分が表示されなくなる、ということを回避し得る。【００１５】
また、本技術の他の概念は、
ビデオデータを持つビデオストリームと字幕情報を持つサブタイトルストリームを含む所定フォーマットのコンテナを受信する受信部を備え、
上記字幕情報に含まれる字幕表示位置情報において字幕表示位置は相対位置で指定され、
上記ビデオストリームにデコード処理を施してビデオデータを得るビデオデコード処理の制御と、上記サブタイトルストリームにデコード処理を施して字幕のビットマップデータを得るサブタイトルデコード処理の制御と、上記字幕のビットマップデータに対して、上記字幕表示位置情報で指定される字幕表示位置がディスプレイに表示されるビデオ領域に対する相対位置であるとして行う表示位置の制御と、上記表示位置制御が行われた字幕のビットマップデータを上記ビデオデータに重畳するビデオ重畳処理の制御をする制御部をさらに備える
受信装置にある。【００１６】
本技術において、受信部により、ビデオデータを持つビデオストリームと字幕情報を持つサブタイトルストリームを含む所定フォーマットのコンテナが受信される。ここで、字幕情報に含まれる字幕表示位置情報において字幕表示位置は相対位置で指定される。【００１７】
ビデオストリームにデコード処理が施されてビデオデータが得られる。サブタイトルストリームにデコード処理が施されて字幕のビットマップデータが得られる。字幕のビットマップデータに対して、字幕表示位置情報で指定される字幕表示位置がディスプレイに表示されるビデオ領域に対する相対位置であるとして表示位置制御が行われる。表示位置制御が行われた字幕のビットマップデータがビデオデータに重畳される。【００１８】
このように本技術においては、字幕のビットマップデータに対して、字幕表示位置情報で指定される字幕表示位置がディスプレイに表示されるビデオ領域に対する相対位置であるとして表示位置制御が行われる。そのため、表示方法に依らずに字幕表示を良好に行い得る。すなわち、ビデオ領域のアスペクト比とディスプレイ領域のアスペクト比とが一致しない場合にあってレターボックス（Letter box）やセンターカット（Center-cut）などの表示方法がとられる場合にあっても、字幕が黒帯領域に表示される、あるいは字幕がディスプレイ領域からはみ出てそのはみ出し部分が表示されなくなる、ということを回避し得る。
【発明の効果】
【００１９】
本技術によれば、表示方法に依らずに字幕表示を良好に行い得る。なお、本明細書に記載された効果はあくまで例示であって限定されるものではなく、また付加的な効果があってもよい。
【図面の簡単な説明】
【００２０】
【図１】実施の形態としての送受信システムの構成例を示すブロック図である。
【図２】ディスプレイ領域のアスペクト比が４：３であると共にビデオ領域のアスペクト比が１６：９であって表示方法がレターボックスである場合において、字幕表示位置情報で指定される字幕表示位置がディスプレイ領域に対する相対位置であるときの字幕表示例を示す図である。
【図３】ディスプレイ領域のアスペクト比が４：３であると共にビデオ領域のアスペクト比が１６：９であって表示方法がセンターカットである場合において、字幕表示位置情報で指定される字幕表示位置がビデオ領域に対する相対位置であるときの字幕表示例を示す図である。
【図４】ディスプレイ領域のアスペクト比が４：３であると共にビデオ領域のアスペクト比が１６：９であって表示方法がレターボックスである場合において、識別情報がディスプレイに表示されるビデオ領域に対する相対位置であることを示す場合における字幕表示例を示す図である。
【図５】ディスプレイ領域のアスペクト比が４：３であると共にビデオ領域のアスペクト比が１６：９であって表示方法がセンターカットである場合において、識別情報がディスプレイに表示されるビデオ領域に対する相対位置であることを示す場合における字幕表示例を示す図である。
【図６】放送送出システムのストリーム生成部の構成例を示すブロック図である。
【図７】ＴＴＭＬ構造の一例を示す図である。
【図８】テレビ受信機の構成例を示すブロック図である。
【発明を実施するための形態】
【００２１】
以下、発明を実施するための形態（以下、「実施の形態」とする）について説明する。なお、説明を以下の順序で行う。
１．実施の形態
２．変形例
【００２２】
＜１．実施の形態＞
［送受信システムの構成例］
図１は、実施の形態としての送受信システム１０の構成例を示している。この送受信システム１０は、放送送出システム１００とテレビ受信機２００により構成されている。放送送出システム１００は、コンテナ（多重化ストリーム）としてのＭＰＥＧ−２  ＴＳのトランスポートストリーム（以下、単に、「トランスポートストリームＴＳ」という）を、放送波に載せて送信する。
【００２３】
トランスポートストリームＴＳには、ビデオデータを持つビデオストリームと、字幕（サブタイトル）情報を持つサブタイトルストリームが含まれる。ここで、字幕情報は、所定フォーマットの字幕のテキスト情報である。このテキスト情報として、例えば、ＴＴＭＬあるいはＴＴＭＬの派生フォーマットが考えられるが、この実施の形態においてはＴＴＭＬであるとする。
【００２４】
字幕情報に含まれる字幕表示位置情報において字幕表示位置は相対位置（プロポーショナルな値）で指定される。そして、字幕情報に、字幕表示位置情報で指定される字幕表示位置がどの領域に対する相対位置であるかを示す識別情報が挿入される。この識別情報は、例えば、字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す。ＴＴＭＬのttルートコンテナに、識別情報を挿入するためのネームスペースが定義される。
【００２５】
テレビ受信機２００は、放送送出システム１００から送られてくるトランスポートストリームＴＳを受信する。テレビ受信機２００は、ビデオストリームにデコード処理を施してビデオデータを得ると共に、サブタイトルストリームにデコード処理を施して字幕のビットマップデータを得る。テレビ受信機２００は、字幕のビットマップデータに対して、字幕表示位置情報で指定される字幕表示位置が字幕情報に挿入されている識別情報で示される領域に対する相対位置であるとして表示位置制御を行う。そして、テレビ受信機２００は、表示位置制御が行われた字幕のビットマップデータをビデオデータに重畳して、表示用のビデオデータを得る。
【００２６】
図２は、ディスプレイ領域のアスペクト比が４：３であると共にビデオ領域のアスペクト比が１６：９であって表示方法がレターボックス（Letter box）である場合において、字幕表示位置情報で指定される字幕表示位置がディスプレイ領域に対する相対位置であるとき、字幕が黒帯領域にわたって表示される可能性があることを示している。
【００２７】
また、図３は、ディスプレイ領域のアスペクト比が４：３であると共にビデオ領域のアスペクト比が１６：９であって表示方法がセンターカット（Center-cut）である場合において、字幕表示位置情報で指定される字幕表示位置がビデオ領域に対する相対位置であるとき、字幕がディスプレイ領域からはみ出してそのはみ出し部分が表示されなくなるる可能性があることを示している。
【００２８】
字幕のビットマップデータに対して、字幕表示位置情報で指定される字幕表示位置が字幕情報に挿入されている識別情報で示される領域に対する相対位置であるとして表示位置制御を行うことで、表示方法に依らずに字幕を良好に表示することが可能となる。
【００２９】
図４は、ディスプレイ領域のアスペクト比が４：３であると共にビデオ領域のアスペクト比が１６：９であって表示方法がレターボックス（Letter box）である場合において、識別情報がディスプレイに表示されるビデオ領域に対する相対位置であることを示す場合における字幕表示の例を示している。この場合には、字幕が黒帯領域に表示されることはなくなる。なお、この字幕表示例は、字幕表示位置（リージョン位置）の左下の位置が左（Left）から１２．５％で、下（Bottom）から４５％というように相対位置で与えられた場合を示している。
【００３０】
図５は、ディスプレイ領域のアスペクト比が４：３であると共にビデオ領域のアスペクト比が１６：９であって表示方法がセンターカット（Cente-cut）である場合において、識別情報がディスプレイに表示されるビデオ領域に対する相対位置であることを示す場合における字幕表示の例を示している。この場合には、字幕がディスプレイ領域からはみ出すことはなくなる。なお、この字幕表示例も、字幕表示位置（リージョン位置）の左下の位置が左（Left）から１２．５％で、下（Bottom）から４５％というように相対位置で与えられた場合を示している。
【００３１】
［放送送出システムのストリーム生成部の構成例］
図６は、放送送出システム１００のストリーム生成部１１０の構成例を示している。このストリーム生成部１１０は、制御部１１１と、ビデオエンコーダ１１２と、オーディオエンコーダ１１３と、テキストフォーマット変換部１１４と、サブタイトルエンコーダ１１５と、ＴＳフォーマッタ（マルチプレクサ）１１６を有している。
【００３２】
制御部１１１は、例えば、ＣＰＵ（Central Processing Unit）を備えた構成とされており、ストリーム生成部１１０の各部の動作を制御する。ビデオエンコーダ１１２は、ビデオデータＤＶを入力し、このビデオデータＤＶに対して符号化を施し、ペイロードに符号化ビデオデータを持つビデオＰＥＳパケットにより構成されるビデオストリーム（ＰＥＳストリーム）を生成する。
【００３３】
オーディオエンコーダ１１３は、オーディオデータＤＡを入力し、このオーディオデータＤＡに対して符号化を施し、符号化オーディオデータを持つオーディオＰＥＳパケットにより構成されるオーディオストリーム（ＰＥＳストリーム）を生成する。テキストフォーマット変換部１１４は、テキストデータ（文字コード）ＤＴを入力し、字幕のテキスト情報としてのＴＴＭＬ（Timed Text Markup Language）を得る。
【００３４】
図７は、ＴＴＭＬ構造の一例を示している。ＴＴＭＬは、ＸＭＬを基本に記載される。ttルートコンテナには、ランゲージ（言語）やネームスペース（名前空間）が定義されている。ネームスペースは、システムあるいは規格体系において全要素中で一意に識別できるための固有の要素名として定義されるものである。「xmlns=http://www.w3.org/ns/ttml」、「xmlns:ttp=http://www.w3.org/ns/ttml#parameter」、「xmlns:tts=http://www.w3.org/ns/ttml#styling」のネームスペースは、詳細説明は省略するが、予めＷ３ＣでＴＴＭＬの属性分類として確保されているパラメータ、スタイリングなどのネームスペースである。
【００３５】
「xmlns:dto=http://www.example.org/ns/displaytextoverlay」は、新規に定義するネームスペースである。このネームスペースは、字幕情報としてのＴＴＭＬに含まれる字幕表示位置情報で指定される字幕表示位置（相対位置）がどの領域に対する相対位置であるかを示す識別情報としての指定パラメータを挿入するためのものである。そして、「dto:extent=“displayedvideo”」の“displayedvideo”に指定パラメータが入る。
【００３６】
例えば、“displayedvideo”に指定パラメータとして“１”を入れることで、字幕表示位置情報で指定される字幕表示位置（相対位置）がディスプレイに表示されるビデオ領域に対する相対位置であること」が示される。この場合、字幕は、必ず、ディスプレイに表示されるビデオ領域内に表示されるものとなる。
【００３７】
つまり、表示方法がレターボックス（Letter box）である場合において字幕が黒帯領域に表示されること、あるいは表示方法がセンターカット（Cente-cut）である場合において字幕がディスプレイ領域からはみ出す、ということはなくなる。
【００３８】
また、例えば、“displayedvideo”に指定パラメータとして“２”を入れることで、字幕表示位置情報で指定される字幕表示位置（相対位置）がビデオ領域に対する相対位置であること」が示される。この場合には、例えば、表示方法がセンターカットであっても字幕がディスプレイ領域からはみ出さないようにするため、予め字幕表示位置（相対位置）が設定されることとなる。
【００３９】
また、例えば、“displayedvideo”に指定パラメータとして“３”を入れることで、字幕表示位置情報で指定される字幕表示位置（相対位置）がディスプレイ領域に対する相対位置であること」が示される。この場合には、例えば、表示方法がレターボックスであっても字幕が黒帯領域に表示されないようにするため、予め字幕表示位置（相対位置）が設定されることとなる。
【００４０】
なお、上述では“displayedvideo”に、“１”、“２”、“３”を入れるように説明したが“１”、“２”、“３”の文字（表記）に限定されるものではなく、他の文字で代用することも可能である。また、字幕の表示対象領域を識別させる方法に、値でなく文字表現で指定することも可能である。その場合は、例えば、上記“１”に相当する文字表現を“displayedvideo”とし、“２”に相当する文字表現を“entirevideo”とし、“３”に相当する文字表現を“monitordisplay”とする。
【００４１】
また、ＴＴＭＬ構造において、ヘッダ（head）には、レイアウト（layout）の要素が存在している。リージョンＩＤが“ｒ１”で示され、字幕表示位置情報としてリージョンの起点（origin）と、リージョンの領域（extent）が相対位置で示されている。この例では、起点位置が左（left）から１２．５％で、下（bottom）から４５％であることが示されている。また、リージョンの領域の横幅が７５％で、縦幅が１０％であることが示されている。
【００４２】
また、ＴＴＭＬ構造において、ボディ（body）には、ＸＭＬ  ＩＤが“ｐ１”で示され、リージョンＩＤが“ｒ１”で示されると共に、テキストデータが記載されている。ここでは、テキストデータが「Subtitles are displayed on top of video by the help of position information.」とされている。
【００４３】
図６に戻って、サブタイトルエンコーダ１１５は、テキストフォーマット変換部１１４で得られるＴＴＭＬを種々のセグメントに変換し、ペイロードにそれらのセグメント（サブタイトル情報）を配置したサブタイトルＰＥＳパケットにより構成されるサブタイトルストリーム（ＰＥＳストリーム）を生成する。
【００４４】
ＴＳフォーマッタ１１６は、ビデオエンコーダ１１２で生成されたビデオストリーム、オーディオエンコーダ１１３で生成されたオーディオストリームおよびサブタイトルエンコーダ１１５で生成されたサブタイトルストリームを、トランスポートパケット化して多重し、コンテナ（多重化ストリーム）としてのトランスポートストリームＴＳを得る。
【００４５】
図６に示すストリーム生成部１１０の動作を簡単に説明する。ビデオデータＤＶは、ビデオエンコーダ１１２に供給される。ビデオエンコーダ１１２では、このビデオデータＤＶに対して符号化が施され、ペイロードに符号化画像データを持つビデオＰＥＳパケットからなるビデオストリーム（ＰＥＳストリーム）が生成される。このビデオストリームは、ＴＳフォーマッタ１１６に供給される。
【００４６】
また、オーディオデータＤＡは、オーディオエンコーダ１１３に供給される。オーディオエンコーダ１１３では、オーディオデータＤＡに対して符号化が施され、符号化音声データを持つオーディオＰＥＳパケットからなるオーディオストリーム（ＰＥＳストリーム）が生成される。このオーディオストリームは、ＴＳフォーマッタ１１６に供給される。
【００４７】
また、テキストデータ（文字コード）ＤＴは、テキストフォーマット変換部１１４に供給される。このキストフォーマット変換部１１４では、表示タイミング情報を持つ所定フォーマットのサブタイトルのテキスト情報、ここではＴＴＭＬが得られる。この場合、ttルートコンテナに、ＴＴＭＬに含まれる字幕表示位置情報で指定される字幕表示位置（相対位置）がどの領域に対する相対位置であるかを示す識別情報としての指定パラメータを挿入するための新たなネームスペースが定義され、指定パラメータが挿入される。
【００４８】
テキストフォーマット変換部１１４で得られたＴＴＭＬは、サブタイトルエンコーダ１１５に供給される。このサブタイトルエンコーダ１１５では、ＴＴＭＬが種々のセグメントに変換され、ペイロードにそれらのセグメントを配置したサブタイトルＰＥＳパケットからなるサブタイトルストリームが生成される。このサブタイトルストリームは、ＴＳフォーマッタ１１６に供給される。
【００４９】
ＴＳフォーマッタ１１６では、ビデオエンコーダ１１２で生成されたビデオストリーム、オーディオエンコーダ１１３で生成されたオーディオストリームおよびサブタイトルエンコーダ１１５で生成されたサブタイトルストリームが、トランスポートパケット化されて多重化され、コンテナ（多重化ストリーム）としてのトランスポートストリームＴＳが生成される。
【００５０】
［テレビ受信機の構成例］
図８は、テレビ受信機２００の構成例を示している。このテレビ受信機２００は、受信部２０１と、ＴＳ解析部（デマルチプレクサ）２０２と、ビデオデコーダ２０３と、ビデオ重畳部２０４と、パネル駆動回路２０５と、ディスプレイとしての表示パネル２０６を有している。また、このテレビ受信機２００は、オーディオデコーダ２０７と、オーディオ出力回路２０８と、スピーカ２０９と、サブタイトルデコーダ２１０を有している。また、このテレビ受信機２００は、ＣＰＵ２２１と、フラッシュＲＯＭ２２２と、ＤＲＡＭ２２３と、内部バス２２４と、リモコン受信部２２５と、リモコン送信機２２６を有している。
【００５１】
ＣＰＵ２２１は、テレビ受信機２００の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＤＲＡＭ２２３上に展開してソフトウェアを起動させ、テレビ受信機２００の各部を制御する。
【００５２】
リモコン受信部２２５は、リモコン送信機２２６から送信されたリモートコントロール信号（リモコンコード）を受信し、ＣＰＵ２２１に供給する。ＣＰＵ２２１は、このリモコンコードに基づいて、テレビ受信機２００の各部を制御する。ＣＰＵ２２１、フラッシュＲＯＭ２２２およびＤＲＡＭ２２３は、内部バス２２４に接続されている。
【００５３】
受信部２０１は、放送送出システム１００から放送波に載せて送られてくるトランスポートストリームＴＳを受信する。このトランスポートストリームＴＳには、上述したように、ビデオストリーム、オーディオストリームおよびサブタイトルストリームが含まれている。ＴＳ解析部２０２は、トランスポートストリームＴＳからビデオ、オーディオ、サブタイトルの各ストリームのＰＥＳパケットを抽出する。
【００５４】
オーディオデコーダ２０７は、ＴＳ解析部２０２で得られたオーディオＰＥＳパケットにデコード処理を施し、オーディオデータを得る。オーディオ出力回路２０８は、オーディオデータに対して、Ｄ／Ａ変換や増幅等の必要な処理を施し、スピーカ２０９に供給する。ビデオデコーダ２０３は、ＴＳ解析部２０２で得られたビデオＰＥＳパケットにデコード処理を施し、ビデオデータを得る。
【００５５】
サブタイトルデコーダ２１０は、ＴＳ解析部２０２で得られたサブタイトルＰＥＳパケットにデコード処理を施し、ビデオデータに重畳すべき各リージョンの字幕のビットマップデータを得る。ここで、サブタイトルデコーダ２１０は、各リージョンの字幕のビットマップデータに対して、ＴＴＭＬに含まれる字幕表示位置情報で指定される字幕表示位置（相対位置）、つまりリージョンの起点（origin）と領域（extent）が、“displayedvideo”の指定パラメータ（識別情報）で示される領域に対する相対位置であるとして表示位置制御を行う（図７参照）。
【００５６】
ここで、“displayedvideo”に指定パラメータとして“１”が入っている場合には、字幕表示位置（相対位置）がディスプレイに表示されるビデオ領域に対する相対位置であるとして、表示位置制御が行われる。また、“displayedvideo”に指定パラメータとして“２”が入っている場合には、字幕表示位置（相対位置）がビデオ領域に対する相対位置であるとして、表示位置制御が行われる。また、“displayedvideo”に指定パラメータとして“３”が入っている場合には、字幕表示位置（相対位置）がディスプレイ領域に対する相対位置であるとして、表示位置制御が行われる。
【００５７】
図８に戻って、ビデオ重畳部２０４は、ビデオデコーダ２０３で得られたビデオデータに、サブタイトルデコーダ２１０から得られる各リージョンの字幕のビットマップデータを重畳する。パネル駆動回路２０５は、ビデオ重畳部２０４で得られる表示用のビデオデータに基づいて、表示パネル２０６を駆動する。表示パネル２０６は、例えば、ＬＣＤ(Liquid Crystal Display)、有機ＥＬディスプレイ（organic electroluminescence display）などで構成されている。
【００５８】
図８に示すテレビ受信機２００の動作を簡単に説明する。受信部２０１では、放送送出システム１００から放送波に載せて送られてくるトランスポートストリームＴＳが受信される。このトランスポートストリームＴＳには、ビデオストリーム、オーディオストリームおよびサブタイトルストリームが含まれている。このトランスポートストリームＴＳは、ＴＳ解析部２０２に供給される。ＴＳ解析部２０２では、トランスポートストリームＴＳからビデオ、オーディオ、サブタイトルの各ストリームのＰＥＳパケットが抽出される。
【００５９】
ＴＳ解析部２０２で抽出されたビデオＰＥＳパケットは、ビデオデコーダ２０３に供給される。ビデオデコーダ２０３では、このビデオＰＥＳパケットにデコード処理が施されて、ビデオデータが得られる。また、ＴＳ解析部２０２で抽出されるサブタイトルＰＥＳパケットは、サブタイトルデコーダ２１０に供給される。このサブタイトルデコーダ２１０では、各リージョンのセグメントデータが処理され、ビデオデータに重畳すべき各リージョンの字幕のビットマップデータが得られる。
【００６０】
このとき、サブタイトルデコーダ２１０では、各リージョンの字幕のビットマップデータに対して、ＴＴＭＬに含まれる字幕表示位置情報で指定される字幕表示位置（相対位置）、つまりリージョンの起点（origin）と領域（extent）が、“displayedvideo”の指定パラメータ（識別情報）で示される領域に対する相対位置であるとして表示位置制御が行われる。
【００６１】
サブタイトルデコーダ２１０から出力される各リージョンの字幕のビットマップデータは、ビデオ重畳部２０４に供給される。ビデオ重畳部２０４では、ビデオデコーダ２０３で得られたビデオデータに、サブタイトルデコーダ２１０から出力される各リージョンの字幕のビットマップデータが重畳され、表示用のビデオデータが得られる。
【００６２】
ビデオ重畳部２０４で得られた表示用のビデオデータは、パネル駆動回路２０５に供給される。パネル駆動回路２０５では、表示用のビデオデータに基づいて、表示パネル２０６を駆動することが行われる。これにより、表示パネル２０６には、字幕が重畳された画像が表示される。
【００６３】
また、ＴＳ解析部２０２で抽出されたオーディオＰＥＳパケットは、オーディオデコーダ２０７に供給される。オーディオデコーダ２０７では、このオーディオＰＥＳパケットにデコード処理が施され、オーディオデータが得られる。このオーディオデータは、オーディオ出力回路２０８に供給される。オーディオ出力回路２０８では、オーディオデータに対して、Ｄ／Ａ変換や増幅等の必要な処理が行われる。そして、処理後のオーディオデータはスピーカ２０９に供給される。これにより、スピーカ２０９からは表示パネル２０６の表示画像に対応した音声出力が得られる。
【００６４】
以上説明したように、図１に示す送受信システム１０において、放送送出システム１００では、字幕情報としてのＴＴＭＬに字幕表示位置情報で指定される字幕表示位置がどの領域に対する相対位置であるかを示す識別情報が挿入される。そのため、受信側においては、字幕のビットマップデータに対して字幕表示位置情報で指定される字幕表示位置が字幕情報に挿入されている識別情報で示される領域に対する相対位置であるとして表示位置制御を行うことで、表示方法によらずに字幕表示を良好に行うことが可能となる。
【００６５】
すなわち、ビデオ領域のアスペクト比とディスプレイ領域のアスペクト比とが一致しない場合にあってレターボックス（Letter box）やセンターカット（Center-cut）などの表示方法がとられる場合にあっても、字幕が黒帯領域に表示される、あるいは字幕がディスプレイ領域からはみ出てそのはみ出し部分が表示されなくなる、ということを回避できる。
【００６６】
＜２．変形例＞
なお、上述実施の形態においては、テレビ受信機２００で受信される字幕情報としてのＴＴＭＬに字幕表示位置情報で指定される字幕表示位置がどの領域に対する相対位置であるかを示す識別情報が挿入されている例を示した。しかし、テレビ受信機２００で受信される字幕情報としてのＴＴＭＬに当該識別情報の挿入がない場合にあっても、テレビ受信機２００は、字幕のビットマップデータに対して字幕表示位置情報で指定される字幕表示位置がディスプレイに表示されるビデオ領域に対する相対位置であるとして表示位置制御を行う構成とすることも考えられる。
【００６７】
テレビ受信機２００は、このような構成とされることで、表示方法に依らずに字幕表示を良好に行うことができる。すなわち、ビデオ領域のアスペクト比とディスプレイ領域のアスペクト比とが一致しない場合にあってレターボックス（Letter box）やセンターカット（Center-cut）などの表示方法がとられる場合にあっても、字幕が黒帯領域に表示される、あるいは字幕がディスプレイ領域からはみ出てそのはみ出し部分が表示されなくなる、ということを回避できる。
【００６８】
また、上述実施の形態においては、ディスプレイ領域のアスペクト比が４：３で、ビデオ領域のアスペクト比が１６：９である例を示した。しかし、ディスプレイ領域のアスペクト比およびビデオ領域のアスペクト比が他の組み合わせであっても、本技術を同様に適用できるものである。
【００６９】
また、上述実施の形態においては、所定フォーマットの字幕のテキスト情報としてＴＴＭＬを用いる例を示した。しかし、本技術は、これに限定されず、ＴＴＭＬと同等の情報を持つその他のテキスト情報を用いることも考えらえる。例えば、ＴＴＭＬの派生フォーマットを用いてもよい。
【００７０】
また、上述実施の形態においては、放送送出システム１００とテレビ受信機２００とからなる送受信システム１０を示したが、本技術を適用し得る送受信システムの構成は、これに限定されるものではない。例えば、テレビ受信機２００の部分が、ＨＤＭＩ（High-Definition Multimedia Interface）などのデジタルインタフェースで接続されたセットトップボックスおよびモニタの構成などであってもよい。なお、「ＨＤＭＩ」は登録商標である。
【００７１】
また、上述実施の形態においては、コンテナがＭＰＥＧ−２  ＴＳのトランスポートストリームである例を示した。本技術は、コンテナがＭＭＴのトランスポートストリームあるいはＤＡＳＨ/ＩＳＯＢＭＦＦストリームなどである場合にも、同様に適用できることは勿論である。
【００７２】
また、本技術は、以下のような構成を取ることもできる。
（１）ビデオデータを持つビデオストリームと字幕情報を持つサブタイトルストリームを含む所定フォーマットのコンテナを送信する送信部を備え、
上記字幕情報に含まれる字幕表示位置情報において字幕表示位置は相対位置で指定され、
上記字幕情報に上記字幕表示位置情報で指定される字幕表示位置がどの領域に対する相対位置であるかを示す識別情報を挿入する情報挿入部をさらに備える
送信装置。
（２）上記字幕情報に挿入される識別情報は、上記字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す
前記（１）に記載の送信装置。
（３）上記字幕情報は、所定フォーマットの字幕のテキスト情報である
前記（１）または（２）に記載の送信装置。
（４）上記所定フォーマットの字幕のテキスト情報は、ＴＴＭＬあるいは該ＴＴＭＬの派生フォーマットである
前記（３）に記載の送信装置。
（５）上記情報挿入部は、ttルートコンテナに、上記識別情報を挿入するためのネームスペースを定義する
前記（４）に記載の送信装置。
（６）送信部により、ビデオデータを持つビデオストリームと字幕情報を持つサブタイトルストリームを含む所定フォーマットのコンテナを送信する送信ステップを有し、
上記字幕情報に含まれる字幕表示位置情報において字幕表示位置は相対位置で指定され、
上記字幕情報に上記字幕表示位置情報で指定される字幕表示位置がどの領域に対する相対位置であるかを示す識別情報を挿入する情報挿入ステップをさらに有する
送信方法。
（７）ビデオデータを持つビデオストリームと字幕情報を持つサブタイトルストリームを含む所定フォーマットのコンテナを受信する受信部を備え、
上記字幕情報に含まれる字幕表示位置情報において字幕表示位置は相対位置で指定され、
上記字幕情報には上記字幕表示位置情報で指定される字幕表示位置がどの領域に対する相対位置であるかを示す識別情報が挿入されており、
上記ビデオストリームにデコード処理を施してビデオデータを得るビデオデコード処理の制御と、上記サブタイトルストリームにデコード処理を施して字幕のビットマップデータを得るサブタイトルデコード処理の制御と、上記字幕のビットマップデータに対して、上記字幕表示位置情報で指定される字幕表示位置が上記字幕情報に挿入されている識別情報で示される領域に対する相対位置であるとして行う表示位置の制御と、上記表示位置制御が行われた字幕のビットマップデータを上記ビデオデータに重畳するビデオ重畳処理の制御をする制御部をさらに備える
受信装置。
（８）上記字幕情報に挿入されている識別情報は、上記字幕表示位置情報で指定される字幕表示位置がディスプレイに表示されるビデオ領域に対する相対位置であるか、ビデオ領域に対する相対位置であるか、あるいはディスプレイ領域に対する相対位置であるかを示す
前記（７）に記載の受信装置。
（９）受信部により、ビデオデータを持つビデオストリームと字幕情報を持つサブタイトルストリームを含む所定フォーマットのコンテナを受信する受信ステップを有し、
上記字幕情報に含まれる字幕表示位置情報において字幕表示位置は相対位置で指定され、
上記字幕情報には上記字幕表示位置情報で指定される字幕表示位置がどの領域に対する相対位置であるかを示す識別情報が挿入されており、
上記ビデオストリームにデコード処理を施してビデオデータを得るビデオデコードステップと、
上記サブタイトルストリームにデコード処理を施して字幕のビットマップデータを得るサブタイトルデコードステップと、
上記字幕のビットマップデータに対して、上記字幕表示位置情報で指定される字幕表示位置が上記字幕情報に挿入されている識別情報で示される領域に対する相対位置であるとして表示位置制御を行う制御ステップと、
上記表示位置制御が行われた字幕のビットマップデータを上記ビデオデータに重畳するビデオ重畳ステップをさらに有する
受信方法。
（１０）ビデオデータを持つビデオストリームと字幕情報を持つサブタイトルストリームを含む所定フォーマットのコンテナを受信する受信部を備え、
上記字幕情報に含まれる字幕表示位置情報において字幕表示位置は相対位置で指定され、
上記ビデオストリームにデコード処理を施してビデオデータを得るビデオデコード処理の制御と、上記サブタイトルストリームにデコード処理を施して字幕のビットマップデータを得るサブタイトルデコード処理の制御と、上記字幕のビットマップデータに対して、上記字幕表示位置情報で指定される字幕表示位置がディスプレイに表示されるビデオ領域に対する相対位置であるとして行う表示位置の制御と、上記表示位置制御が行われた字幕のビットマップデータを上記ビデオデータに重畳するビデオ重畳処理の制御をする制御部をさらに備える
受信装置。
（１１）受信部により、ビデオデータを持つビデオストリームと字幕情報を持つサブタイトルストリームを含む所定フォーマットのコンテナを受信する受信ステップを有し、
上記字幕情報に含まれる字幕表示位置情報において字幕表示位置は相対位置で指定され、
上記ビデオストリームにデコード処理を施してビデオデータを得るビデオデコードステップと、
上記サブタイトルストリームにデコード処理を施して字幕のビットマップデータを得るサブタイトルデコードステップと、
上記字幕のビットマップデータに対して、上記字幕表示位置情報で指定される字幕表示位置がディスプレイに表示されるビデオ領域に対する相対位置であるとして表示位置制御を行う制御ステップと、
上記表示位置制御が行われた字幕のビットマップデータを上記ビデオデータに重畳するビデオ重畳ステップをさらに有する
受信方法。
【００７３】
本技術の主な特徴は、字幕表示位置情報で指定される字幕表示位置（相対位置）がどの領域に対する相対位置であるかを示す識別情報を字幕情報に挿入して送信することで、受信側において字幕のビットマップデータに対して字幕表示位置情報で指定される字幕表示位置が字幕情報に挿入されている識別情報で示される領域に対する相対位置であるとして表示位置制御を行うことを可能とし、表示方法によらずに字幕表示を良好に行い得るようにしたことである（図７参照）。
【符号の説明】
【００７４】
１０・・・送受信システム
１００・・・放送送出システム
１１０・・・ストリーム生成部
１１１・・・制御部
１１２・・・ビデオエンコーダ
１１３・・・オーディオエンコーダ
１１４・・・テキストフォーマット変換部
１１５・・・サブタイトルエンコーダ
１１６・・・ＴＳフォーマッタ
２００・・・テレビ受信機
２０１・・・受信部
２０２・・・ＴＳ解析部
２０３・・・ビデオデコーダ
２０４・・・ビデオ重畳部
２０５・・・パネル駆動回路
２０６・・・表示パネル
２０７・・・オーディオデコーダ
２０８・・・オーディオ出力回路
２０９・・・スピーカ
２１０・・・サブタイトルデコーダ
２２１・・・ＣＰＵ
【図１】
2017073397.tif 000003
【図２】
2017073397.tif 000004
【図３】
2017073397.tif 000005
【図４】
2017073397.tif 000006
【図５】
2017073397.tif 000007
【図６】
2017073397.tif 000008
【図７】
2017073397.tif 000009
【図８】
2017073397.tif 000010
【国際調査報告】
2017073397.tif 000011
2017073397.tif 000012
2017073397.tif 000013
2017073397.tif 000014